(57)【要約】【課題】  発表者を識別し、その発表者のデータを表示する。【解決手段】  撮像部１２及び音声部２８は、操作者の画像データ及び音声データを演算部１４に入力する。演算部１２は、最も類似性が高い人物名を認識用データベース２４から取得する。一人の人物を特定できたら、演算部１４は、特定された人物が所有するファイルの一覧を、記録部２０及びインターフェース部２２を通じて接続されたネットワークから検索する。複数のファイルが検索されたら、そのリストを表示する。操作者は、操作部１６の十字キー及び決定ボタンにより、表示すべきファイルを決定する。演算部１４は、決定されたファイルを表示部２６又は投映部１８により表示する。【選択図】  図１
2006331121.tif 000002
【特許請求の範囲】
【請求項１】
所定範囲に存在する人物の人物情報を検出する人物検出手段と、
当該人物検出手段で検出される当該人物情報から、当該所定範囲に存在する当該人物を特定する人物特定手段と、
当該人物特定手段で得された人物に関するファイルを検索するファイル検索手段と、
当該ファイル検索手段で検索されたファイルを表示する表示手段
とを具備することを特徴とするプロジェクタ。
【請求項２】
前記人物検出手段は、当該所定範囲に存在する人物を撮像する撮像部を具備することを特徴とする請求項１に記載のプロジェクタ。
【請求項３】
前記人物検出手段は、当該所定範囲に存在する人物の出力する音声を取り込む音声入力手段を具備することを特徴とする請求項１又は２に記載のプロジェクタ。
【請求項４】
当該人物特定手段は、人物の名前と付随情報を関連付けて記憶するデータベースを具備することを特徴とする請求項１乃至３の何れか１項に記載のプロジェクタ。
【請求項５】
当該ファイル検索手段は、内蔵記憶媒体、外付け記憶媒体及びネットワーク上の記憶媒体等のうちのいずれかから当該ファイルを検索することを特徴とする請求項１乃至４の何れか１項に記載のプロジェクタ。
【請求項６】
前記人物特定手段は、所定期間以上の、当該人物検出段による検出結果が同じ人物を示すか否かを判断する手段を具備することを特徴とする請求項１乃至５の何れかに記載のプロジェクタ。
【請求項７】
当該表示手段は、当該ファイル検索手段が複数のファイルを検索した場合に、その一覧から所望の１ファイルを操作者に選択させる選択手段を具備することを特徴とする請求項１乃至６の何れかに１項に記載のプロジェクタ。
【請求項８】
更に、当該人物検出手段により検出される所定期間をおいた当該人物情報の同一人物性を判定し、その判定結果から当該同一人物性が認められる場合において、当該表示手段が当該人物情報から当該人物特定手段で特定される人物に関連するファイルを表示しているときには、表示を継続し、当該表示手段が当該人物情報から当該人物特定手段で特定される人物に関連するファイルを表示していないときには、当該表示手段が当該人物情報から当該人物特定手段で特定される人物に関連するファイルを表示する表示制御手段を具備することを特徴とする請求項１乃至７の何れか１項に記載のプロジェクタ。
【請求項９】
当該表示制御手段は、
当該人物検出手段により検出される所定期間をおいた当該人物情報の同一人物性の判定結果から当該同一人物性が認められない場合において、当該人物検出手段により検出される更なる人物情報と、直前の人物情報との同一人物性を判定し、その判定結果から当該同一人物性が認められる場合に、当該表示手段による表示を行い、当該同一人物性が認められない場合に、同一人物性の判定を行うことを特徴とする請求項８に記載のプロジェクタ。
【発明の詳細な説明】
【技術分野】
【０００１】
本発明は、動画又は静止画等の画像をスクリーンに投映するプロジェクタに関し、より具体的には、操作者を識別し、所望のデータを表示するプロジェクタに関する。
【背景技術】
【０００２】
装備されるメモリカード等の記録媒体に記録されるデータの画像を投映するプロジェクタや、ネットワーク上にあるデータを投映するプロジェクタが、知られている。すなわち、ＰＣ（パーソナルコンピュータ）に直接接続しなくても、データを投映可能なプロジェクタが登場している（例えば、特許文献１）。投映時にプロジェクタにＰＣを接続しておかなくてもよいので、ＰＣの仕様や環境に制限されずに、安価で簡便に動画を含む画像を投映し表示できる。
【０００３】
一方、近年、記録媒体の記憶容量は大容量化しており、記録媒体に格納されるデータ量が増えると考えられる。
【特許文献１】特開２０００−０２３１４８号公報
【発明の開示】
【発明が解決しようとする課題】
【０００４】
従前のプロジェクタは、キーボードやマウスのようなユーザインターフェース手段を具備しないので、発表資料の任意の場所を、一緒に表示されるカーソルで指定することが不可能であり、また、表示すべきデータの選択操作も容易ではなかった。
【０００５】
特に、ネットワーク上に存在するデータを指定する場合、所在場所のアドレスを指定する必要があり、表示したいデータを指定するまでに長い時間を費してしまう。
【０００６】
近年の記録媒体の容量の増加が、これらの困難に拍車をかける。
【０００７】
そこで、本発明は、キーボードやマウスが無くても、簡単な操作でローカル又はリモートのデータを指定し表示できるプロジェクタを提供することを目的とする。
【課題を解決するための手段】
【０００８】
上記の目的を達成するために、本発明に係るプロジェクタは、記録媒体と、当該記録媒体のデータを投映するプロジェクタであって、所定の範囲に存在する人物情報を検出する人物検出手段と、人物情報を格納されているデータベースと、当該データベースから人物情報を特定する人物特定手段と、前記人物特定手段の人物情報に基づき、当該記録媒体内のファイルを検索するファイル検索手段と、前記ファイル検索手段から所望のファイルを表示する表示手段を具備することを特徴とする。
【発明の効果】
【０００９】
本発明によれば、人物を検出する人物検出手段及び人物を特定する人物特定手段を備えたので、ユーザインターフェースがなくても操作者を識別することができ、所望のデータを表示することができる。すなわち、操作者はプロジェクタで指定する資料選択の手間を省くことができる。
【発明を実施するための最良の形態】
【００１０】
以下、図面を参照して、本発明の好ましい実施例を詳細に説明する。
【実施例１】
【００１１】
図１は、本発明の第１実施例に係るプロジェクタの概略構成ブロック図である。動画または静止画等の画像を投映するプロジェクタ１０は、撮像部１２、演算部１４、操作部１６、投映部１８、記録部２０、インターフェース部２２、認識用データベース２４、表示部２６及び音声部２８を備えている。
【００１２】
撮像部１２は、プロジェクタ１０の周囲にいる人物の顔画像を撮像するために設けられる。撮像部１２は、ＣＣＤセンサ又はＣＭＯＳセンサからなる撮像素子と、撮像素子に光学像を結像するレンズからなる。演算部１４は、プロジェクタ１０の制御全般と操作者の認識処理を行う。演算部１４は、ＣＰＵ、ＲＯＭ及びＲＡＭ、又は、これらと同等の機能を有する集積回路等で構成される。
【００１３】
操作部１６は、操作者がプロジェクタ１０を操作するのに用いされる。操作部１６は、十字キー、決定／取消ボタン、及び、これらと演算部１４とを接続するインターフェース回路などから構成されている。
【００１４】
投映部１８は、動画または静止画等の画像を図示しないスクリーンに投映する。投映部１８は、投映レンズ、ランプ及び液晶パネル等で構成されている。
【００１５】
記録部２０は、発表資料等の各種投映用データを記憶する。記録部２０は、記憶媒体と当該記憶媒体に対する読み書きを実行する制御インターフェース回路等により構成されている。ただし、記録部２０の記憶媒体は、プロジェクタ１０に内蔵されていてもよいし、着脱可能であっても良い。また、このような記憶媒体には、ＨＤＤ（ハードディスクドライブ）、書き換え可能光ディスク、書き換え可能光磁気ディスク、半導体メモリ等がある。
【００１６】
インターフェース部２２は、ＰＣなどの外部装置に接続し、これにより、プロジェクタ１０は、外部装置との間でデータをやりとりできる。インターフェース部２２は、イーサネット（登録商標）、ＵＳＢ又はＩＥＥＥ１３９４等に準拠した通信回路により構成されている。もちろん、通信媒体は、有線と無線のどちらでも良い。
【００１７】
また、操作部１６をリモコンで構成し、インターフェース部２２を通してプロジェクタ１０を操作するようにしても良い。
【００１８】
投映用データは、インターフェース部２２を通じて、外部のネットワークにある記録媒体、又は外部のＰＣにある記録媒体から取得するようにしても良い。
【００１９】
認識用データベース２４は、撮像部１２により撮像された人物を判断するのに利用される。認識用データベース２４は、プロジェクタ１０の不揮発性メモリ（ＥＥＰＲＯＭ、バッテリによりバックアップされるＲＡＭ又はハードディスクドライブ等）に記憶されている。認識用データベース２４は、プロジェクタ１０の外部にあって、インターフェース部２２を介して接続されるものであってもよい。
【００２０】
表示部２６は、プロジェクタ１０のメニューや動作状態等を表示する。音声部２８は、スピーカー及びマイク等で構成され、音声を入出力する。マイクの代わりに、プロジェクタ１０の外部から無線で音声データをプロジェクタ１０に伝送しても良い。
【００２１】
図２は、プロジェクタ１０の外観斜視図である。プロジェクタ１０は、投映レンズ３０、撮像レンズ３２、操作ボタン３４、モニタ３６及びインターフェース部２２の通信端子３８を備えている。
【００２２】
投映レンズ３０は投映部１８の一部であり、撮像レンズ３２は撮像部１２の一部である。なお、撮影レンズ３２は、プロジェクタ１０の前方を撮像するように配置されているが、任意の方角を撮像できるように撮像部１２を可動式にしてもよい。操作ボタン３４はプロジェクタ１０を操作する操作部１６を構成するものであり、モニタ３６は表示部２６の一部である。通信端子３８は、外部との通信用ケーブルを接続するインタフェース部２２の一部である。ただし、図２は、プロジェクタ１０の外観の一例を示したものであり、各構成要素がプロジェクタ１０の異なる位置に配置されていてもかまわない。
【００２３】
認識用データベース２４の構成と機能を説明する。図３は、認識用データベース２４の構成例を示す。図３において、認識用データベース２４は、インデックス番号、人物の名前、人物の顔の画像データ、人物の音声データ、データ検索パス及びプロジェクタ用の設定ファイルを関連付けて記憶する構成になっている。
【００２４】
インデックス番号フィールドは、何番目のデータであるかを示す数字を収容する。名前フィールドは、人物の名前を収容する。名前フィールドの表記には、漢字、ひらがな、カタカナ及びローマ字等を利用可能である。なお、漢字、ひらがな、カタカナ及びローマ字以外の方法でもよく、複数の名前が格納されていても良い。顔フィールドは、人物の顔画像を収容する。音声フィールドは、人物の音声データを収容する。なお、画像データ及び音声データは、一つのインデックス番号に対して、複数設定してもよい。また、本実施例では、画像データにビットマップ形式を適用し、音声データにＷＡＶＡ形式を適用している。勿論、画像データ及び音声データのフォーマットは他の形式でも良い。
【００２５】
データ検索パスのフィールドは、発表資料などの投映データが存在するＰＣの名前、ＩＰアドレス及びＵＲＬ等を収容する。設定ファイルのフィールドは、個人ごとのプロジェクタの色調、解像度、明るさ及び表示モード等の設定情報を記憶するファイルのファイル名を収容する。データパスのフィールドと設定ファイルのフィールドが空欄の場合は、プロジェクタ１０のデフォルトの設定が使用される。図３に示す例は、認識用データベース２４の一例であり、フィールドの構成と数が異なったものでもよい。
【００２６】
図４に示すフローチャートを参照して、本実施例の動作を説明する。プロジェクタ１０に備えられた撮像部１２または音声部２８により、操作者の画像データまたは音声データを演算部１４に入力する（Ｓ１０）。所定の比較アルゴリズムを用いて、演算部１４は、入力された画像データまたは音声データと、認識用データベース２４の対応するフィールドのデータとを比較し、その比較結果から、最も類似性が高い認識用データベース２４内のフィールドを持つレコードの名前フィールドの値を取得する（Ｓ１１）。本実施例では、任意の方式の比較アルゴリズムを採用可能である。
【００２７】
画像データと音声データを入力可能であるが、画像データと音声データのどちらか一方のデータだけでも利用者を認識できる。画像データと音声データのどちらか一方のデータを入力した場合に対し、画像データと音声データを同時に入力する時、取得する名前の誤差を小さくでき、人物の特定がより確実となる。従って、本実施例では、画像データと音声データを同時に入力して、認識用データベース２４の対応フィールドとそれぞれ比較することにする。
【００２８】
次に、名前フィールドの値から人物を特定できたか否かを判別する（Ｓ１２）。人物が特定できていない場合、Ｓ１０に戻り、再び画像データと音声データの入力を行う。ステップＳ１２からステップＳ１０に戻る途中で、画像データと音声データの再入力の選択メニュー、又は、画像データ、音声データ又はその両方の何れで人物を特定するかの選択メニューを表示し、操作者がこれらを選択できるようにしてもよい。更には、入力された画像データ又は音声データを認識用データベース２４に新規登録又は追加登録するメニューを加えても良い。
【００２９】
一人の人物が特定できた場合（Ｓ１２）、演算部１４は、特定された人物が所有するファイルの一覧を、記録部２０又はインターフェース部２２を通じて接続されたネットワークから検索する（Ｓ１３）。ただし、検索対象のファイルは、例えば、特定された人物の所有であることがヘッダ領域又は内容に記載されたファイルである。また、検索アルゴリズムとしては、種々の方式のものを利用可能であり、特定の方式のものに限定されない。さらに、検索対象を特定の拡張子を持つファイル、又は、更新日が所定の期間内のファイルなどに絞っても良い。本実施例では、検索を容易にするために、検索範囲に認識用データベース２４のデータパスフィールドを利用している。
【００３０】
ファイル一覧の検索後、演算部１４は、検索されたファイルの数を算出する（Ｓ１４）。検索されたファイル数が１個のときはＳ１７に、２個以上のときはＳ１５に進む。
【００３１】
ここで、検索されたファイル数が２個以上ある場合（Ｓ１５、Ｓ１６）、図５を用いて説明する。図５は、ファイルの検索結果が複数存在したときの表示例を示す。図５に示すような内容が、表示部２６または投映部１８で表示される。検索結果として、図５に示すように、ファイル名一覧が、ファイルパス及び日付のようなファイル属性を示す項目と共に示される。
【００３２】
操作者は、操作部１６の十字キーを用いて１つのファイルを選択し、決定ボタンを押すことで、表示すべきファイルを決定する（Ｓ１６）。選択されているファイルは、図５に示すように、項目の先頭にマークが付き、色が変更される。変図５では、選択状態を破線で示してある。決定ボタンを押して、表示すべきファイルを決定したら、Ｓ１７に進む。
【００３３】
再び図４に戻って説明する。演算部１４は、選択されたファイルを表示部２６又は投映部１８により表示する（Ｓ１７）。このとき、演算部１４は、認識用データベース２４の人物の設定ファイルフィールドを読み込み、プロジェクタ１０の動作状態、輝度、解像度及び色調等の表示方法を変更する。
【００３４】
次に、図６を参照して、画像データ又は音声データの比較から人物を認識する処理の動作を説明する。図６は、この処理のフローチャートを示す。演算部１４は、撮像部１２からの画像データ又は音声部２８からの音声データを取り込む（Ｓ２０）。ステップＳ２０で入力された画像データまたは音声データを、データＡとする。
【００３５】
演算部１４は、ステップＳ２０から所定時間経過した後、再び、撮像部１２からの画像データ又は音声部２８からの音声データを取り込む（Ｓ２１）。ステップＳ２１で入力された画像データ又は音声データを、データＢとする。
【００３６】
演算部１４は、データＡにより特定した人物と、データＢにより特定した人物が一致しているか否かを判断する（Ｓ２２）。この判断には、任意の比較アルゴリズムを採用できる。ステップＳ２２では、一致しているか否かを判断すればよいので、Ｓ１１のように人物が誰であるかまで特定する必要はない。即ち、データＡ，Ｂが同一人物からのものであることを示す同一人物性が判断される。画像の場合には、その顔画像の特徴で同一人物性が判定でき、音声の場合、音声スペクトル分布から同一人物性を判定できる。
【００３７】
データＡにより特定した人物と、データＢにより特定した人物が一致している場合（Ｓ２２）、演算部１４は、投映部１２からデータが表示されているか否かを判断する（Ｓ２３）。表示されていない場合は、表示フローを呼び出し、表示されている場合は、Ｓ２０に戻る。
【００３８】
データＡにより特定した人物と、データＢにより特定した人物が一致していない場合（Ｓ２２）、演算部１４は、撮像部１２からの撮像データ又は音声部２８からの音声データを、所定時間経過後に再び取り込む（Ｓ２４）。ステップＳ２４で取り込んだ画像データまたは音声データをデータＣとする。
【００３９】
演算部１４は、ステップＳ２２と同様の手法で、データＢにより特定される人物とデータＣにより特定される人物が一致しているか否かを判断する（Ｓ２５）。一致している場合、表示フローを呼び出し、一致していない場合は、Ｓ２０に戻る。
【００４０】
さらに、図６のフローチャートをより簡略に説明すると、図６の状態（１）では、データＡ＝データＢの状態が、変わらない。これは、発表者が同じであることを意味する。データ表示中であるので、その表示が継続される。
【００４１】
図６の状態（２）では、データＡ＝データＢではあるが、まだ発表データが表示されていないので、表示フローが呼び出される。
【００４２】
図６の状態（３）では、データＡ≠データＢであり、かつ、データＢ≠データＣなので、データＢで認識されている人物が一瞬だけ、プロジェクタ１０で認識可能な場所を通りすぎただけで判断できる。従って、表示フローの呼び出しによる発表データの変更は、行われない。
【００４３】
図６の状態（４）では、データＡ≠データＢ＝データＣなので、発表者が交代になったと判断できる。このとき、表示フローの呼び出しにより、発表データが変更される。
【００４４】
なお、本実施例では、人物を特定した後で対象人物のファイルの検索結果を表示しているが、人物を特定後にプロジェクタ内外のファイル一覧の中からその人物のファイルのみを開くようにしても良い。
【００４５】
このようにして、プロジェクタ１０に画像データを撮像する撮像部１２を設けたので、人物の顔画像を取得することができ、人物を外見で識別することができる。また、プロジェクタ１０に音声データを取り込む音声部２８を設けたので、人物の声を取得することができ、人物を声で識別することができる。
【００４６】
人物の音声または顔画像等を、人物の属性、名前及び付随情報に対応させる認識用データベース２４を具備するので、音声又は顔画像から人物を特定することができる。さらに、認識用データベース２４から人物に付随する情報を得ることもできる。また、認識用データベース２４に、人物毎の検索範囲を予め登録しておくことで、検索範囲を絞り込むことができ、すばやく検索できる。
【００４７】
所定期間以上検出されている人物のみを人物特定の対象としたので、人物検索の誤動作を少なくすることができる。例えば、発表者以外の人がプロジェクタ１０の検出可能な範囲を通り過ぎた場合、誤って発表者であると認識されることを防止できる。
【００４８】
人物特定後に、表示可能なデータの中から、特定された人物に属するデータのみを表示可能にするようにしたので、操作者が誤ったデータを表示してしまうことを防止できる。
【図面の簡単な説明】
【００４９】
【図１】本発明の一実施例であるプロジェクタの概略構成ブロック図である。
【図２】本実施例のプロジェクタの外観図である。
【図３】認識用データベースの構成例を示す模式図である。
【図４】本実施例の動作フローチャートである。
【図５】複数のファイルが検索された場合の表示図である。
【図６】本実施例の人物認識のフローチャートである。
【符号の説明】
【００５０】
１０  プロジェクタ
１２  撮像部
１４  演算部
１６  操作部
１８  投映部
２０  記録部
２２  インターフェース部
２４  認識用データベース
２６  表示部
２８  音声部
３０  投映レンズ
３２  撮像レンズ
３４  操作ボタン
３６  モニタ
３８  通信端子
【図１】
2006331121.tif 000003
【図２】
2006331121.tif 000004
【図３】
2006331121.tif 000005
【図４】
2006331121.tif 000006
【図５】
2006331121.tif 000007
【図６】
2006331121.tif 000008